(57)【要約】【課題】プラグの使用時にカバーを自動的に閉め、プラグの収納時にカバーを自動的に開閉動させてプラグを収納するプラグ開閉収納装置を提供する。【解決手段】操作釦６０の往動作で中継レバー５０の第２係合部５３が環状ガイド部１２の往路１２ａに導かれると、第１の付勢手段３５でプラグ３０が開動し、かつプラグ３０の開動でカバー４０が第２の付勢手段４５の付勢力に抗して開動し、プラグ３０が開くと、カバー４０が第２の付勢手段４５の付勢力で閉じ、プラグ３０の閉動作で中継レバー５０の第２係合部５３が環状ガイド部１２の復路１２ｂに導かれると、中継レバー５０の一端部５１でリンクレバー７０の一端部７３が押圧され、リンクレバー７０の他端部７６がカバー４０のカム部４４を押圧してカバー４０が第２の付勢手段４５の付勢力に抗して開動し、プラグ３０が閉じて装置本体１１内に収納されると、カバー４０が第２の付勢手段４５の付勢力で閉じる。【選択図】図１
2012146544.tif 000002
【特許請求の範囲】
【請求項１】
開口部を有する装置本体と、
プラグ本体部と前記プラグ本体部の一端側に設けられた接続部とを有し、少なくとも前記接続部が前記開口部から前記装置本体の外部に突出した突出位置と、前記プラグ本体部及び前記接続部が前記装置本体の内部に収納された収納位置と、の間で回動により姿勢遷移するプラグと、
前記開口部を開放する開位置と少なくとも一部を塞ぐ閉位置との間を回動動作により移動するカバーと、
前記カバーの回動動作を前記プラグの回動動作に連携させる連携機構と、
を備え、
前記カバーは、
前記プラグが突出位置及び収納位置にあるときに前記閉位置にあり、
前記プラグの前記収納位置から前記突出位置への回動の際に前記閉位置から前記開位置へ回動し、
前記プラグの前記突出位置から前記収納位置への回動の際に、前記連携機構によって一旦前記プラグの回動領域から退避するように構成されていることを特徴とするプラグ開閉収納装置。
【請求項２】
開口部を有した装置本体と、
この装置本体に第１の支軸を介して開閉動自在に設けられ、閉時に該装置本体内に収納されると共に、開時に前記開口部より外部へ突出するプラグと、
前記装置本体に第２の支軸を介して開閉動自在に設けられ、前記プラグの開閉動に伴い前記開口部を開閉するカバーと、
前記装置本体の前記プラグの開閉動領域に隣接する壁面部分に設けられ、往路と復路からなる環状ガイド部と、
前記第１の支軸に揺動自在に設けられ、一端部の一方の面側に前記プラグをガイドする第１係合部を有すると共に、該一端部の他方の面側に前記環状ガイド部の往路と復路に沿って移動する第２係合部を有し、前記プラグの開閉動と共に揺動する中継レバーと、
前記装置本体の環状ガイド部の近傍に往復動自在に設けられ、往動作時に前記中継レバーの一端部を押圧して該中継レバーの第２係合部を前記環状ガイド部の往路に導くように該中継レバーを移動させる操作釦と、
前記装置本体に第３の支軸を介して揺動自在に設けられ、前記プラグの閉動作時に、一端部が前記中継レバーの一端部により押圧されると共に、他端部が前記カバーに設けられたカム部を押圧して該カバーを開く方向に移動させるリンクレバーと、
前記プラグを開く方向に付勢する第１の付勢手段と、
前記カバーを閉じる方向に付勢する第２の付勢手段と、
前記中継レバーを原位置に復帰させる第１の復帰手段と、
前記操作釦を原位置に復帰させる第２の復帰手段と、
を備え、
前記操作釦の往動作により前記中継レバーの第２係合部が前記環状ガイド部の往路に導かれると、前記第１の付勢手段の付勢力により前記プラグが開動すると共に、該プラグの開動により前記カバーが前記第２の付勢手段の付勢力に抗して開動し、前記プラグが開くと、前記カバーが前記第２の付勢手段の付勢力により閉じる一方、
前記プラグの閉動作により前記中継レバーの第２係合部が前記環状ガイド部の復路に導かれると、前記中継レバーの一端部により前記リンクレバーの一端部が押圧されると共に、該リンクレバーの他端部が前記カバーのカム部を押圧して前記カバーが前記第２の付勢手段の付勢力に抗して開動し、前記プラグが閉じて前記装置本体内に収納されると、前記カバーが前記第２の付勢手段の付勢力により閉じるようにしたことを特徴とするプラグ開閉収納装置。
【請求項３】
請求項２記載のプラグ開閉収納装置であって、
前記プラグを、前記第１の支軸に開閉動自在に支持されるプラグ筐体と、このプラグ筐体の端面より外部に突出したプラグ本体とで構成し、前記プラグの閉時に、前記プラグ本体に前記カバーが重なる状態で閉じるようにしたことを特徴とするプラグ開閉収納装置。
【請求項４】
請求項２記載のプラグ開閉収納装置であって、
前記リンクレバーの一端部に円弧状部を形成し、この円弧状部の曲率を可変して前記カバーの開角度を調整自在にしたことを特徴とするプラグ開閉収納装置。
【請求項５】
請求項２記載のプラグ開閉収納装置であって、
前記装置本体の前記プラグの開閉動領域に隣接する壁面部分に取付ブラケットを取り付け、この取付ブラケットに前記第１〜第３の支軸の一部を支持したことを特徴とするプラグ開閉収納装置。
【発明の詳細な説明】
【技術分野】
【０００１】
本発明は、例えば、ＵＳＢ（Universal Serial Bus）プラグ等のプラグを開閉収納するプラグ開閉収納装置に関する。
【背景技術】
【０００２】
この種のプラグ付き電子機器として、図１２に示すものがある（例えば、特許文献１参照。）。
【０００３】
このプラグ付き電子機器１は、図１２に示すように、フレーム２のプラグ取付部３とフレーム２の側壁２ａの外面に着脱自在に嵌合された補助フレーム５との間にプラグ収納部７を形成してある。これらプラグ取付部３の内面に形成された円形の軸受け凹部４と補助フレーム５の内面に形成された円筒状の軸部６との間に、ＵＳＢプラグ９を装着したプラグ装着部材８が所定角度（例えば、１８０°）回転自在に取り付けられている。
【０００４】
そして、プラグ付き電子機器１のＵＳＢプラグ９をパーソナルコンピュータ等のＵＳＢコネクタに接続する場合には、プラグ収納部７内にプラグ装着部材８が収納されている状態から、図１２中実線で示すように、プラグ装着部材８を１８０°回転させて開けたり、或いは、図１２中二点鎖線で示すように、プラグ装着部材８を９０°回転させて開けた状態にしてから接続する。
【先行技術文献】
【特許文献】
【０００５】
【特許文献１】特開２００５−２１７１９０号公報（図１）
【発明の概要】
【発明が解決しようとする課題】
【０００６】
しかしながら、前記従来のプラグ付き電子機器１では、プラグ装着部材８を収納するプラグ収納部７内の空間が狭いため、プラグ装着部材８を回転させて開けたり、閉じて収納する動作が煩雑であった。また、プラグ収納部７内にプラグ装着部材８を収納した状態でもＵＳＢプラグ９のプラグ口９ａは外部に露出するため、塵埃等が入らないように、ＵＳＢプラグ９のプラグ口９ａをキャップ等のカバーで覆っておく必要があった。
【０００７】
これに対処するために、近年、プラグ収納部７内に収納されたＵＳＢプラグ９のプラグ口９ａ側に目隠しカバーを開閉自在に取り付けたプラグ付き電子機器が開発されている。この目隠しカバーは、ＵＳＢプラグの使用時に邪魔になるため、邪魔にならないように、目隠しカバーのみを閉じることができるようになっているが、その状態でＵＳＢプラグを収納することができなかった。すなわち、目隠しカバーを一旦開けてからでないとＵＳＢプラグを収納することができなかった。
【０００８】
そこで、本発明は、前記した課題を解決すべくなされたものであり、プラグの使用時にカバーを自動的に閉めることができると共に、プラグの収納時にカバーを自動的に開閉動させてプラグを収納することができるプラグ開閉収納装置を提供することを目的とする。
【課題を解決するための手段】
【０００９】
請求項１の発明は、開口部（11a）を有する装置本体（11）と、プラグ本体部（31）と前記プラグ本体部（31）の一端側に設けられた接続部（32）とを有し、少なくとも前記接続部（32）が前記開口部（11a）から前記装置本体（11）の外部に突出した突出位置と、前記プラグ本体部（31）及び前記接続部（32）が前記装置本体（11）の内部に収納された収納位置と、の間で回動により姿勢遷移するプラグ（30）と、前記開口部（11a）を開放する開位置と少なくとも一部を塞ぐ閉位置との間を回動動作により移動するカバー（40）と、前記カバー（40）の回動動作を前記プラグ（30）の回動動作に連携させる連携機構（50,70）と、を備え、前記カバー（40）は、前記プラグ（30）が突出位置及び収納位置にあるときに前記閉位置にあり、前記プラグ（30）の前記収納位置から前記突出位置への回動の際に前記閉位置から前記開位置へ回動し、前記プラグ（30）の前記突出位置から前記収納位置への回動の際に、前記連携機構（50,70）によって一旦前記プラグ（30）の回動領域から退避するように構成されていることを特徴とする。
【００１０】
請求項２の発明は、開口部（11a）を有した装置本体（11）と、この装置本体（11）に第１の支軸（13）を介して開閉動自在に設けられ、閉時に該装置本体（11）内に収納されると共に、開時に前記開口部（11a）より外部へ突出するプラグ（30）と、前記装置本体（11）に第２の支軸（43）を介して開閉動自在に設けられ、前記プラグ（30）の開閉動に伴い前記開口部（11a）を開閉するカバー（40）と、前記装置本体（11）の前記プラグ（30）の開閉動領域に隣接する壁面部分（11b）に設けられ、往路（12a）と復路（12b）からなる環状ガイド部（12）と、前記第１の支軸（13）に揺動自在に設けられ、一端部（51）の一方の面（51b）側に前記プラグ（30）をガイドする第１係合部（52）を有すると共に、該一端部（51）の他方の面（51c）側に前記環状ガイド部（12）の往路（12a）と復路（12b）に沿って移動する第２係合部（53）を有し、前記プラグ（30）の開閉動と共に揺動する中継レバー（50）と、前記装置本体（11）の環状ガイド部（12）の近傍に往復動自在に設けられ、往動作時に前記中継レバー（50）の一端部（51）を押圧して該中継レバー（50）の第２係合部（53）を前記環状ガイド部（12）の往路（12a）に導くように該中継レバー（50）を移動させる操作釦（60）と、前記装置本体（11）に第３の支軸（72）を介して揺動自在に設けられ、前記プラグ（30）の閉動作時に、一端部（73）が前記中継レバー（50）の一端部（51）により押圧されると共に、他端部（76）が前記カバー（40）に設けられたカム部（44）を押圧して該カバー（40）を開く方向に移動させるリンクレバー（70）と、前記プラグ（30）を開く方向に付勢する第１の付勢手段（35）と、前記カバー（40）を閉じる方向に付勢する第２の付勢手段（45）と、前記中継レバー（50）を原位置に復帰させる第１の復帰手段（57）と、前記操作釦（60）を原位置に復帰させる第２の復帰手段（64）と、を備え、前記操作釦（60）の往動作により前記中継レバー（50）の第２係合部（53）が前記環状ガイド部（12）の往路に導かれると、前記第１の付勢手段（35）の付勢力により前記プラグ（30）が開動すると共に、該プラグ（30）の開動により前記カバー（40）が前記第２の付勢手段（45）の付勢力に抗して開動し、前記プラグ（30）が開くと、前記カバー（40）が前記第２の付勢手段（45）の付勢力により閉じる一方、前記プラグ（30）の閉動作により前記中継レバー（50）の第２係合部（53）が前記環状ガイド部（12）の復路（12b）に導かれると、前記中継レバー（50）の一端部（51）により前記リンクレバー（70）の一端部（73）が押圧されると共に、該リンクレバー（70）の他端部（76）が前記カバー（40）のカム部（44）を押圧して前記カバー（40）が前記第２の付勢手段（45）の付勢力に抗して開動し、前記プラグ（30）が閉じて前記装置本体（11）内に収納されると、前記カバー（40）が前記第２の付勢手段（45）の付勢力により閉じるようにしたことを特徴とする。
【００１１】
請求項３の発明は、請求項２記載のプラグ開閉収納装置（10）であって、前記プラグ（30）を、前記第１の支軸（13）に開閉動自在に支持されるプラグ筐体（31）と、このプラグ筐体（31）の端面（31a）より外部に突出したプラグ本体（32）とで構成し、前記プラグ（30）の閉時に、前記プラグ本体（32）に前記カバー（40）が重なる状態で閉じるようにしたことを特徴とする。
【００１２】
請求項４の発明は、請求項２記載のプラグ開閉収納装置（10）であって、前記リンクレバー（７０）の一端部（73）に円弧状部（74,75）を形成し、この円弧状部（74,75）の曲率を可変して前記カバー（40）の開角度を調整自在にしたことを特徴とする。
【００１３】
請求項５の発明は、請求項２記載のプラグ開閉収納装置（10）であって、前記装置本体（11）の前記プラグ（30）の開閉動領域に隣接する壁面部分（11b）に取付ブラケット（20）を取り付け、この取付ブラケット（20）に前記第１〜第３の支軸（13,43,72）の一部を支持したことを特徴とする。
【発明の効果】
【００１４】
本発明は、プラグの使用時にカバーを自動的に閉めることができると共に、プラグの収納時にカバーを自動的に開閉動させてプラグを収納することができるプラグ開閉収納装置を提供することができる。
【図面の簡単な説明】
【００１５】
【図１】本発明の一実施形態のプラグ開閉収納装置の要部を正面側から見た斜視図である。
【図２】上記プラグ開閉収納装置の要部を裏側から見た斜視図である。
【図３】上記要部の分解斜視図である。
【図４】上記要部に用いられるプラグと中継レバーの関係を示す斜視図である。
【図５】上記プラグが開く前の状態を一部断面で示す正面図である。
【図６】上記プラグが開く直前の状態を示す正面図である。
【図７】上記プラグが開く途中の状態を示す正面図である。
【図８】上記プラグが開いてカバーが閉じた状態を示す正面図である。
【図９】上記プラグが閉じ始めた状態を示す正面図である。
【図１０】上記プラグが閉じる途中でカバーが開いた状態を示す正面図である。
【図１１】上記プラグが閉じる直前でカバーが開いた状態を示す正面図である。
【図１２】従来のプラグ付き電子機器の構成図である。
【発明を実施するための形態】
【００１６】
以下、本発明の一実施形態を図面に基づいて説明する。
【００１７】
図１は本発明の一実施形態のプラグ開閉収納装置の要部を正面側から見た斜視図、図２は同要部を裏側から見た斜視図、図３は同要部の分解斜視図、図４は同要部に用いられるプラグと中継レバーの関係を示す斜視図、図５〜図８は同プラグが開くまでの状態を示す正面図、図９〜図１１は同プラグが閉じるまでの状態を示す正面図である。
【００１８】
図１〜図３及び図５〜図１１に示すように、プラグ開閉収納装置１０は、開口部１１ａを有した装置本体１１と、この装置本体１１のプラグの開閉動領域に隣接する壁面部分１１ｂに設けられ、往路１２ａと復路１２ｂからなる環状ガイド部１２と、装置本体１１のプラグの開閉動領域に隣接する壁面部分１１ｂに取り付けられた取付ブラケット２０と、装置本体１１に支軸（第１の支軸）１３を介して開閉自在に設けられ、閉時に装置本体１１内に収納されると共に、開時に開口部１１ａより外部へ突出するＵＳＢプラグ（プラグ）３０と、装置本体１１に支軸（第２の支軸）４３を介して開閉自在に設けられ、ＵＳＢプラグ３０の開閉時に開口部１１ａを開閉するカバー４０と、支軸１３に揺動自在に設けられ、一端部５１の一方の面５１ｂ側にＵＳＢプラグ３０をガイドする第１係合突起（第１係合部）５２を有すると共に、該一端部５１の他方の面５１ｃ側に環状ガイド部１２の往路１２ａと復路１２ｂに沿って移動する第２係合突起（第２係合部）５３を有し、ＵＳＢプラグ３０の開閉動と共に揺動する中継レバー５０と、装置本体１１の環状ガイド部１２の前側のスライド用壁部１４に往復動自在に設けられ、往動作時に中継レバー５０の一端部５１の上面５１ａを押圧して該中継レバー５０の第２係合突起５３を環状ガイド部１２の往路１２ａに導くように該中継レバー５０を移動させる操作ノブ（操作釦）６０と、装置本体１１に支軸（第３の支軸）７２を介して揺動自在に設けられ、ＵＳＢプラグ３０の閉動作時に、一端部７３が中継レバー５０の一端部５１により押圧されると共に、他端部７６がカバー４０に設けられたカム部４４を押圧して該カバー４０を開く方向に移動させるリンクレバー７０と、を備えている。
【００１９】
図３及び図５に示すように、装置本体１１は、合成樹脂等により扁平筐形に形成してあり、その一つのコーナ部の一面側に矩形の開口部１１ａを形成してある。また、この開口部１１ａを形成する一側壁の内側がＵＳＢプラグ３０の開閉動領域に隣接する壁面部分１１ｂになっており、この壁面部分１１ｂのコーナ部に円柱状の支軸１３を一体突出形成してある。さらに、壁面部分１１ｂには凹溝状で小円弧状の往路１２ａと凹溝状で大円弧状の復路１２ｂからなる環状ガイド部１２を一体形成してあり、この環状ガイド部１２に併設するように取付ブラケット２０を取り付けてある。また、装置本体１１の開口部１１ａ寄りの前壁が操作ノブ６０が往復動するスライド用壁部１４になっている。
【００２０】
図１及び図２に示すように、取付ブラケット２０は、金属或いは合成樹脂で断面コ字状に形成してあり、上片部２１と前，後片部２２，２３と一側片部２４とを有している。この取付ブラケット２０の前片部２２は後片部２３より幅が広くなるように形成してあり、この前，後片部２２，２３の一側片部２４寄りの位置に、カバー４０が支軸４３を介して開閉動自在に設けられている。また、前片部２２の他端側に貫通した支軸１３を介してＵＳＢプラグ３０が該前片部２２の内面に沿って開閉動自在に設けられている。さらに、前片部２２の他端側の環状ガイド部１２に対向する位置には、矩形の切り欠き部２５を形成してある。また、前片部２２の一端側にはカバー４０のカム部４４が摺動する円弧状に切り欠かれたガイド部２６を形成してある。そして、取付ブラケット２０の前片部２２の中央部寄りの位置に、支軸７２を介してリンクレバー７０を揺動自在に設けてある。
【００２１】
図２及び図４に示すように、ＵＳＢプラグ３０は、支軸１３に開閉自在に支持されるプラグ筐体３１と、このプラグ筐体３１の一端面（端面）３１ａより外部に突出したプラグ本体３２とで構成してある。プラグ筐体３１の基端部の一方の面３１ｂには上下に延びる凹部３３を形成してあり、この凹部３３に中継レバー５０の第１係合突起５２が挿入されて係合している。また、プラグ筐体３１の基端部の下側には他端面側に開口部３４ａを有した円筒状の軸受部３４を一体形成してある。このプラグ筐体３１の軸受部３４内に装置本体１１の円柱状の支軸１３が挿通されることで、プラグ筐体３１が支軸１３を介して開閉動するようになっている。また、プラグ筐体３１の円筒状の軸受部３４内に該プラグ筐体３１を常に開く方向に付勢する捩りコイルバネ（第１の付勢手段）３５を取り付けてある。この捩りコイルバネ３５の一端３５ａは円筒状の軸受部３４の開口部３４ａの縁部に掛けられており、図示しない他端は装置本体１１側に掛けられて、プラグ筐体３１が常に開く方向に付勢されている。
【００２２】
また、図１，図２，図５に示すように、ＵＳＢプラグ３０の閉時に、ＵＳＢプラグ３０のプラグ本体３２にカバー４０が重なる状態で閉じられるようになっている。すなわち、このＵＳＢプラグ３０の閉時に、プラグ筐体３１の下面３１ｄがカバー４０と共に装置本体１１の開口部１１ａを閉じるようになっている。また、この時に、プラグ本体３２のプラグ口３２ａは、取付ブラケット２０の一側片部２４で覆われるようになっている。
【００２３】
図１，図２，図５に示すように、カバー４０は、合成樹脂により成形されており、閉時に装置本体１１の開口部１１ａの約半分を覆うと共に、ＵＳＢプラグ３０のプラグ本体３２に重なるように閉じられる矩板状の蓋体４１と、この蓋体４１上において取付ブラケット２０の前片部２２に対して平行になるように垂直に一体突出形成された起立片部４２とを有している。この起立片部４２の蓋体４１寄りの角部の両側には円柱状の支軸（第２の支軸）４３を一体突出形成してある。この支軸４３の一端側は装置本体１１のＵＳＢプラグ３０の開閉動領域に隣接する壁面部分１１ｂに開閉動自在に支持してあると共に、該支軸４３の他端側は取付ブラケット２０の後片部２３に開閉動自在に支持してある。また、起立片部４２の前側の面には半円柱状のカム部４４を一体突出形成してある。このカム部４４は、カバー４０の開閉時に取付ブラケット２０の前片部２２の円弧状のガイド部２６に摺動してガイドされるようになっている。さらに、起立片部４２と取付ブラケット２０の後片部２３との間の支軸４３には、カバー４０を常に閉じる方向に付勢する捩りコイルバネ（第２の付勢手段）４５を取り付けてある。この捩りコイルバネ４５の一端４５ａは取付ブラケット２０の一側片部２４に掛けられており、図示しない他端はカバー４０の蓋体４１側に掛けられて、カバー４０が常に閉じる方向に付勢されている。
【００２４】
図１，図３，図４に示すように、中継レバー５０は、一端部５１の一方の面５１ｂにＵＳＢプラグ３０をガイドする第１係合突起（第１係合部）５２を一体突出形成してあると共に、該一端部５１の他方の面５１ｃに環状ガイド部１２の往路１２ａと復路１２ｂに沿って移動する第２係合突起（第２係合部）５３を一体突出形成してある。また、中継レバー５０の他端部５４には中央部まで延びる逆Ｕ字状のスリット５５を形成してある。このスリット５５に装置本体１１の円柱状の支軸１３が挿通することで、該中継レバー５０は支軸１３を介して昇降動及び揺動自在に設けられている。さらに、中継レバー５０の一端部５１の他方の面５１ｃ側には、第２係合突起５３からスリット５５まで延びる凹部５６を形成してある。この凹部５６内の第２係合突起５３と支軸１３との間に、中継レバー５０を原位置（初期位置）に常に復帰させるように付勢する圧縮コイルバネ（第１の復帰手段）５７を設けてある。
【００２５】
図１，図２，図５に示すように、操作ノブ６０は、合成樹脂によりブロック状に形成してあり、装置本体１１のスライド用壁部１４に抜け止めされて往復動するノブ本体６１と、このノブ本体６１の一側面６１ａの上端部に一体突出形成され、中継レバー５０の一端部５１の上面５１ａに当接・押圧して該中継レバー５０を往動させる押圧部６２と、ノブ本体６１の他側面６１ｂの中央部に一体突出形成された操作部６３とを有している。このノブ本体６１の押圧部６２とスライド用壁部１４の図示しない係止部との間には、操作ノブ６０を原位置（初期位置）に常に復帰させるように付勢する圧縮コイルバネ（第２の復帰手段）６４を設けてある。
【００２６】
図１及び図５に示すように、リンクレバー７０は、金属或いは合成樹脂により板状で正面がへ字形に形成してあり、その中央部に一体形成された円筒部７１に円柱状の支軸（第３の支軸）７２を圧入してある。この支軸７２の両端部は、取付ブラケット２０の前片部２２と装置本体１１のＵＳＢプラグ３０の開閉動領域に隣接する壁面部分１１ｂに回動自在に支持されている。また、リンクレバー７０の一端部７３の下側には凹状の円弧状部７４と凸状の円弧状部７５をそれぞれ形成してある。この各円弧状部７４，７５は、中継レバー５０の一端部５１の上面５１ａ及び該上面５１ａに一体突出形成された凸部５１ｄに当接・押圧されてリンクレバー７０を揺動させるようになっている。この揺動により、リンクレバー７０の他端部７６の下側に形成された傾斜部７７がカバー４０のカム部４４を押圧して該カバー４０を開く方向に移動させるようになっている。また、各円弧状部７４，７５の曲率を可変自在にしてカバー４０の開角度が調整できるようになっている。
【００２７】
尚、ＵＳＢプラグ３０を常に開く方向に付勢する捩りコイルバネ３５の弾性付勢力は、カバー４０を常に閉じる方向に付勢する捩りコイルバネ４５の弾性付勢力より強く設定されている。これにより、ＵＳＢプラグ３０が捩りコイルバネ３５の弾性付勢力により開く時に、カバー４０は捩りコイルバネ４５の弾性付勢力に抗してＵＳＢプラグ３０のプラグ本体３２により押圧されて開くようになっている。
【００２８】
また、図５に示すように、装置本体１１内にＵＳＢプラグ３０が収納されている時は、図示しないロック機構により、ＵＳＢプラグ３０の収納状態がロックされていて、捩りコイルバネ３５の弾性付勢力が働かないようになっており、図６に示すように、操作ノブ６０を矢印Ａ方向に操作し、操作ノブ６０の押圧部６２の押圧により中継レバー５０が下降して、中継レバー５０のスリット５５の湾曲した天井面に支軸１３が当たると、上記ロック機構によるロックが解除され、捩りコイルバネ３５の弾性付勢力が働いて、ＵＳＢプラグ３０が自動的に開く方向に揺動するようになっている。
【００２９】
以上実施形態のプラグ開閉収納装置１０によれば、図５に示すように、操作ノブ６０の原位置（初期位置）から、図６に示すように、操作ノブ６０を図中矢印Ａ方向に往動作すると、中継レバー５０がスリット５５の長さ分下降して、その第２係合突起５３が環状ガイド部１２の往路１２ａに導かれる。これにより、図７に示すように、ＵＳＢプラグ３０が捩りコイルバネ３５の付勢力により開動し、このＵＳＢプラグ３０の開動により、ＵＳＢプラグ３０のプラグ本体３２がカバー４０の蓋体４１を下方に押しながら開くことで、カバー４０が捩りコイルバネ４５の付勢力に抗して開動する。
【００３０】
そして、図８に示すように、ＵＳＢプラグ３０が完全に開くと、カバー４０が捩りコイルバネ４５の付勢力により自動的に閉じる。
【００３１】
また、図９の矢印Ｄに示すように、ＵＳＢプラグ３０を手動で閉じると、中継レバー５０の第２係合突起５３が環状ガイド部１２の復路１２ｂに導かれ、中継レバー５０の一端部５１の上面５１ａの一角部に形成された凸部５１ｄがリンクレバー７０の一端部７３の凸状の円弧状部７５を押圧して、リンクレバー７０が図９中時計方向に回転する。このリンクレバー７０の回転により、リンクレバー７０の他端部７６に形成した傾斜部７７がカバー４０のカム部４４を押圧する。これにより、カバー４０のカム部４４が取付ブラケット２０の前片部２２に形成された円弧状のガイド部２６に沿って移動することで、カバー４０が捩りコイルバネ４５の付勢力に抗して図９の矢印Ｅ方向に自動的に開く。そして、図１０及び図１１に示すように、ＵＳＢプラグ３０を更に閉じて行くと、中継レバー５０の第２係合突起５３が環状ガイド部１２の復路１２ｂの終点側に導かれて行き、ＵＳＢプラグ３０のプラグ本体３２がカバー４０の蓋体４１の中に収納されて行く。図５に示すように、ＵＳＢプラグ３０が完全に閉じられて装置本体１１内に収納されると、カバー４０が捩りコイルバネ４５の付勢力により自動的に閉じる。
【００３２】
このように、中継レバー５０やリンクレバー７０等を介してＵＳＢプラグ３０の開閉動に連動してカバー４０を開閉動させることにより、ＵＳＢプラグ３０を開いた使用時にカバー４０を自動的に閉めることができると共に、ＵＳＢプラグ３０の収納時にカバー４０を自動的に開閉動させてＵＳＢプラグ３０を装置本体１１内に収納することができる。これにより、ＵＳＢプラグ３０の使用時にカバー４０が邪魔になることはなく、また、ＵＳＢプラグ３０の収納途中でカバー４０が自動的に開くため、ＵＳＢプラグ３０を簡単に収納することができると共に、プラグ収納後はカバー４０を自動的に閉めることができる。
【００３３】
また、ＵＳＢプラグ３０をプラグ筐体３１とプラグ本体３２とで構成し、ＵＳＢプラグ３０の閉時に、プラグ本体３２にカバー４０が重なる状態で閉じるようにしたので、プラグ本体３２のプラグ口３２ａをカバー４０で効率よく簡単且つ確実に覆うことができる。
【００３４】
さらに、リンクレバー７０の一端部７３の下側には凸状の円弧状部７５を形成し、この円弧状部７５の曲率を可変自在にしてカバー４０の開角度を調整自在にしたので、カバー４０が不必要に大きく開いて破損等につながることを確実に防止することができる。
【００３５】
さらに、装置本体１１のＵＳＢプラグ３０の開閉領域に隣接する壁面部分１１ｂにコ字状の取付ブラケット２０を取り付け、この取付ブラケット２０に各支軸１３，４３，７２の一端部側をそれぞれ支持したので、ＵＳＢプラグ３０とカバー４０を簡単かつ確実に開閉動せることができ、また、中継レバー５０とリンクレバー７０を簡単かつ確実に揺動させることができる。
【００３６】
尚、前記実施形態によれば、ＵＳＢプラグの開閉収納について説明したが、プラグはＵＳＢプラグに限らず、電源プラグ等の他のプラグでも良いことは勿論である。
【符号の説明】
【００３７】
１０  プラグ開閉収納装置
１１  装置本体
１１ａ  開口部
１１ｂ  プラグの開閉領域に隣接する壁面部分
１２  環状ガイド部
１２ａ  往路
１２ｂ  復路
１３  第１の支軸
２０  取付ブラケット
３０  ＵＳＢプラグ（プラグ）
３１  プラグ筐体（プラグ本体部）
３１ａ  一端面（端面）
３２  プラグ本体（接続部）
３５  捩りコイルバネ（第１の付勢手段）
４０  カバー
４３  第２の支軸
４４  カム部
４５  捩りコイルバネ（第２の付勢手段）
５０  中継レバー（連携機構）
５１  一端部
５１ｂ  一方の面
５１ｃ  他方の面
５２  第１係合突起（第１係合部）
５３  第２係合突起（第２係合部）
５７  圧縮コイルバネ（第１の復帰手段）
６０  操作ノブ（操作釦）
６４  圧縮コイルバネ（第２の復帰手段）
７０  リンクレバー（連携機構）
７２  第３の支軸
７３  一端部
７４，７５  円弧状部
７６  他端部
【図１】
2012146544.tif 000003
【図２】
2012146544.tif 000004
【図３】
2012146544.tif 000005
【図４】
2012146544.tif 000006
【図５】
2012146544.tif 000007
【図６】
2012146544.tif 000008
【図７】
2012146544.tif 000009
【図８】
2012146544.tif 000010
【図９】
2012146544.tif 000011
【図１０】
2012146544.tif 000012
【図１１】
2012146544.tif 000013
【図１２】
2012146544.tif 000014